(57)【特許請求の範囲】
【請求項１】
下記（ａ）成分、（ｂ）成分及び（ｃ）成分を含有するアレルゲン除去剤。
（ａ）成分：水と共沸混合物を形成し、１０１３．２５ｈＰａにおける水との共沸温度が１００℃未満になる有機化合物
（ｂ）成分：該アレルゲン除去剤中の液体成分の蒸発により無機性の固体を生成させる、アルカリ金属イオン及びアルカリ土類金属イオンから選ばれる１種以上である無機性陽イオン（ｂｃ）と、硫酸イオン、炭酸イオン及びリン酸イオンから選ばれる１種以上である無機性陰イオン（ｂａ）の組合せ。但し、カリウムイオンと炭酸イオンのみの組み合わせは排除される。
（ｃ）成分：水
【請求項２】
（ａ）成分がエタノール、１−プロパノール及び２−プロパノールから選ばれる１種以上である請求項１記載のアレルゲン除去剤。
【請求項３】
（ｂ）成分の無機性陽イオン（ｂｃ）が、カリウムイオン、ナトリウムイオン又はマグネシウムイオンから選ばれる陽イオンであり、無機性陰イオン（ｂａ）が、硫酸イオン、炭酸イオン及びリン酸イオンから選ばれる１種以上であり、カリウムイオンと炭酸イオンのみの組み合わせは排除される請求項１又は２記載のアレルゲン除去剤。
【請求項４】
（ｂ）成分の（ｂｃ）／（ｂａ）＝０．３〜３．０（モル比）であり、アルカリ金属イオン、アルカリ土類金属イオン及び水素イオン以外の無機性陽イオンの含有量が０．５質量％未満である請求項１記載のアレルゲン除去剤。
【請求項５】
（ａ）成分を１〜７０質量％、並びに（ｂ）成分を（ｂｃ）及び（ｂａ）の合計で０．０１〜１０質量％含有する請求項１〜４の何れか１項記載のアレルゲン除去剤。
【請求項６】
（ａ）成分、（ｂ）成分及び（ｃ）成分の合計が９５〜１００質量％である請求項１〜５の何れか１項記載のアレルゲン除去剤。
【請求項７】
下記（ａ）成分、（ｂ）成分及び（ｃ）成分を含有し、（ｂ）成分の（ｂｃ）／（ｂａ）＝０．３〜３．０（モル比）であり、且つ（ｂｃ）成分及び水素イオン以外の無機陽イオンの含有量が０．５質量％未満であるアレルゲン除去剤。
（ａ）成分：水と共沸混合物を形成し、１０１３．２５ｈＰａにおける水との共沸温度が１００℃未満になる有機化合物を１〜７０質量％
（ｂ）成分：下記（ｂｃ）成分から選ばれる陽イオンと（ｂａ）成分から選ばれる陰イオンを合計で０．０１〜１０質量％
（ｂｃ）成分：カリウムイオン、ナトリウムイオン及びマグネシウムイオン
（ｂａ）成分：硫酸イオン及び炭酸イオン
（ｃ）成分：水
【請求項８】
下記（ａ）成分、（ｂ’）成分及び（ｃ）成分を含有するアレルゲン除去剤。
（ａ）成分：水と共沸混合物を形成し、１０１３．２５ｈＰａにおける水との共沸温度が１００℃未満になる有機化合物
（ｂ’）成分：硫酸ナトリウム、硫酸マグネシウム、炭酸ナトリウム、炭酸水素ナトリウムから選ばれる１種以上の無機電解質
（ｃ）成分：水
【請求項９】
（ｂ’）成分が硫酸ナトリウム、硫酸マグネシウム、炭酸ナトリウムから選ばれる一種以上である請求項８記載のアレルゲン除去剤。
【請求項１０】
（ａ）成分を１〜７０質量％及び（ｂ’）成分を０．０１〜１０質量％含有し、（ａ）成分、（ｂ’）成分及び（ｃ）成分の合計が９５〜１００質量％である請求項８又は９記載のアレルゲン除去剤。
【請求項１１】
被処理物から、析出した無機性の固体と共にアレルゲンを除去するアレルゲンの除去方法に供される請求項１〜１０の何れか１項記載のアレルゲン除去剤。
【請求項１２】
アレルゲンが存在する被処理物に適用される、水と共沸混合物を形成し、１０１３．２５ｈＰａにおける水との共沸温度が１００℃未満になる有機化合物である揮発性の液体成分を含有する液状アレルゲン除去剤であって、前記液体成分の蒸発に伴い前記被処理物から分離可能な、アルカリ金属イオン及びアルカリ土類金属イオンから選ばれる１種以上である無機性陽イオンと、硫酸イオン、炭酸イオン及びリン酸イオンから選ばれる１種以上である無機性陰イオンの組合せ（但し、カリウムイオンと炭酸イオンのみの組み合わせは排除される。）を固体源物質とする無機性の固体を生成する液状アレルゲン除去剤。
【請求項１３】
水と共沸混合物を形成し、１０１３．２５ｈＰａにおける水との共沸温度が１００℃未満になる有機化合物と、該アレルゲン除去剤中の液体成分の蒸発により無機性の固体を生成させる、アルカリ金属イオン及びアルカリ土類金属イオンから選ばれる１種以上である無機性陽イオンと、硫酸イオン、炭酸イオン及びリン酸イオンから選ばれる１種以上である無機性陰イオンの組合せ（但し、カリウムイオンと炭酸イオンのみの組み合わせは排除される。）と、水とを含有するアレルゲン除去剤を、アレルゲンが存在する被処理物に接触させ、該接触部分の乾燥により析出した固体と共にアレルゲンを前記被処理物から除去するアレルゲンの除去方法。
【請求項１４】
水と共沸混合物を形成し、１０１３．２５ｈＰａにおける水との共沸温度が１００℃未満になる有機化合物と、硫酸ナトリウム、硫酸マグネシウム、炭酸ナトリウム、炭酸水素ナトリウムから選ばれる１種以上の無機電解質と、水とを含有するアレルゲン除去剤を、アレルゲンが存在する被処理物に接触させ、該接触部分の乾燥により析出した固体と共にアレルゲンを前記被処理物から除去するアレルゲンの除去方法。
【請求項１５】
水と共沸混合物を形成し、１０１３．２５ｈＰａにおける水との共沸温度が１００℃未満になる有機化合物と、アルカリ金属イオン及びアルカリ土類金属イオンから選ばれる１種以上である無機性陽イオン（ｂｃ）と、硫酸イオン、炭酸イオン及びリン酸イオンから選ばれる１種以上である無機性陰イオン（ｂａ）（但し、カリウムイオンと炭酸イオンのみの組み合わせは排除される。）が溶解している液状組成物であって、該液状組成物中の液体成分の除去により（ｂｃ）及び（ｂａ）由来の無機性の固体が生成する液状組成物をアレルゲンが存在する被処理物に接触させ、該接触部分の乾燥により析出した固体と共にアレルゲンを前記被処理物から除去するアレルゲンの除去方法。
【請求項１６】
水と共沸混合物を形成し、１０１３．２５ｈＰａにおける水との共沸温度が１００℃未満になる有機化合物と、水からなる液体成分の除去により、アルカリ金属イオン及びアルカリ土類金属イオンから選ばれる１種以上である無機性陽イオンと、硫酸イオン、炭酸イオン及びリン酸イオンから選ばれる１種以上である無機性陰イオンの組合せ（但し、カリウムイオンと炭酸イオンのみの組み合わせは排除される。）を固体源物質とする無機性の固体が生成する液状組成物をアレルゲンが存在する被処理物に接触させ、該接触部分の乾燥により析出した固体と共にアレルゲンを前記被処理物から除去するアレルゲンの除去方法。
【請求項１７】
水と共沸混合物を形成し、１０１３．２５ｈＰａにおける水との共沸温度が１００℃未満になる有機化合物と、ナトリウムイオン及びマグネシウムイオンから選ばれる陽イオンと、硫酸イオン、炭酸イオンから選ばれる陰イオンとを含有する水溶液をアレルゲンが存在する対象表面に塗布又は噴霧し、乾燥後析出したアレルゲンを包含する固体を除去するアレルゲン除去方法。
【請求項１８】
下記（ａ）成分、（ｂ）成分及び（ｃ）成分を含有する、ダニ、ユスリカ、ゴキブリ及びこれらの死骸もしくはこれらの糞が塵化したもの、ペットの体毛の破断物、花粉、並びに、カビの胞子から選ばれる少なくとも一種を除去するための剤。
（ａ）成分：水と共沸混合物を形成し、１０１３．２５ｈＰａにおける水との共沸温度が１００℃未満になる有機化合物
（ｂ）成分：アレルゲン除去剤中の液体成分の蒸発により無機性の固体を生成させる、アルカリ金属イオン及びアルカリ土類金属イオンから選ばれる１種以上である無機性陽イオン（ｂｃ）と、硫酸イオン、炭酸イオン及びリン酸イオンから選ばれる１種以上である無機性陰イオン（ｂａ）の組合せ。但し、カリウムイオンと炭酸イオンのみの組み合わせは排除される。
（ｃ）成分：水
【発明の詳細な説明】
【０００１】
【発明の属する技術分野】
本発明は、通常の清掃では除去することが難しいアレルゲンを効果的に除去するための剤及びその方法に関するものであり、特には、ダニの死骸や糞、カビの胞子、花粉などのアレルギーの抗原となる物質であるアレルゲンを効率良く除去することを可能とするための剤及び方法に関する。
【０００２】
【従来の技術及び発明が解決しようとする課題】
ダニ、ユスリカ、ゴキブリ及びこれらの死骸もしくはこれらの糞が塵化したもの、ペットの体毛の破断物、花粉、並びに、カビの胞子は、これらを抗原としたアレルギー症状を引き起こすと考えられており、いわゆるアレルゲンによる人体への影響は社会的な問題になっている。特にダニ類に関しては、室内環境の快適化と引き換えにその繁殖が助長され、喘息、アトピー性皮膚炎あるいはアレルギー性鼻炎などのアレルギー疾患の原因物質の存在が顕在化している。特に、ヤケヒョウヒダニ、ケナガコナダニあるいはコナヒョウヒダニなどのダニ類は、畳、絨毯などの敷物類や毛布、布団などの寝具などに生息し増殖しており、このようなダニ類の駆除はアレルギー疾患を持つ人たちばかりでなく、一般の家庭においても高い関心が持たれている。抗ダニ剤や殺ダニ剤に関しては多くの技術が提案されている。例えば、特開平９−１５７１１６号公報には、抗ダニ成分としてフェニルイソチオシアネートを含有し、フェニルイソチオシアネートの刺激臭緩和成分としてセスキテルペン化合物、脂環式化合物又は芳香系化合物から選ばれる香料を含有させた抗ダニ剤が記載されている。しかしながら、その死骸や糞などもアレルゲンになることが知られており、これらアレルゲンの無害化が検討されている。
【０００３】
特開平６−２７９２７３号公報には没食子酸やその低級アルコールエステル等の特定の化合物を用いたアレルゲンの除去方法が開示されている。特開昭６１−４４８２１号公報にはタンニン酸と特定の溶剤を含有したアレルゲンの除去剤が開示されている。また、特開２０００−６３２０７号公報には特定の溶剤がアレルゲンの無害化に有効であることが開示されている。
【０００４】
その他アレルゲン除去に関する技術として、特開２０００−２６４８３７号公報には、有機溶剤、タンニン酸などのポリフェノール類、ヒドロキシアパタイト、カチオン系界面活性剤から選ばれる一種以上を用いる化合物を含有するアレルゲン除去剤を微小粒子にして空間に放出し、該放出粒子によってアレルゲンを除去する剤と方法が記載されており、さらには該剤を液体、粉体、シート状、ハニカム状の担持体で保持収納する容器内に物理的吸引によってアレルゲンを含有する空気を通過させてトラップするアレルゲン除去方法が記載されている。同様に特開２００２−１２８６５９号公報には、アレルゲンを不活性化又は除去するハウスダスト処理剤を含有する溶液または分散液を特定噴霧粒子径でスプレーする方法が記載されている。
【０００５】
しかしながら、これらの従来のアレルゲン除去方法ないし除去剤なるものは、タンパク質を変性させアレルギー発症の要因となるＩｇＥ抗体との結合能力を低下させ無害化させることを“除去”と称しているものであり、アレルゲン変性剤と称する方が正しいものである。前記公報には、アレルゲンをタルクや水膨潤性粘土等の粒子などの微粒子に吸着させたり、ポリビニルアルコールなどの高分子化合物で被覆させる方法も記載されているが、捕集しない限り、いずれの方法においても、処理後もアレルゲン又はその前駆物質は依然として残存しているため、十分にアレルゲンの影響を排除するものではない。またこれらの技術により変性されたアレルゲンに繰り返し暴露されると変性されたアレルゲンそのものが新たなアレルゲン物質となり、アレルギー発症の要因となり得る。また前記公報には、捕集に関する技術も提案されているが、空間のアレルゲンをトラップすることを目的とするものであり、処理表面からの剥離性を考慮したものではない。
【０００６】
一方、ダニや、ダニの糞、花粉、カビの胞子などの生物に由来するアレルゲンは、掃除機などの掃除道具を用いて丁寧に清掃することが有効であることが知られているが、畳、絨毯などの敷物類や毛布、布団などの寝具にはこれらの奥底にまでアレルゲン物質が存在するため容易には除去することができない。例えば床の掃除には１ｍ２当たり２０秒以上掃除機をかけることや、寝具類においても１週間に１回は丁寧に掃除機をかけるなどの方法がダニアレルゲンを室内環境から効率よく除去するための方法として推奨されているが、日常的に行っていくことは非常に困難を伴うものである。このため、簡単な清掃操作でアレルゲンを効率よく除去する方法が求められている。
【０００７】
ところで、ダニが生息するカーペット用洗浄剤として、洗浄液を含浸させた粉末をカーペットに散布した後、ブラシを用いて粉末とカーペットを擦りつけた後、掃除機で粉末を吸引することでカーペットを洗浄する方法が知られている。また、その他のカーペット用洗浄剤としては、特開昭５３−１３０７０４号公報には、ラウリルアルコール８０〜９５部、デシルアルコール５〜２０部を配合して得られる混合アルコールの硫酸エステルのリチウム塩とビルダーとしてＰ２Ｏ５を７０〜８５％含有するポリリン酸のリチウム塩よりなる組成物の全固形物が１０〜４０％となる如く水を含有させた液体のカーペットシャンプー組成物の発明が記載されており、更には該カーペットシャンプーを水で稀釈したものをカーペットに噴射し、カーペット表面に広げブラッシュにより擦り洗いを行い、乾燥後粉末化した洗液残渣をバキューム除去することが記載されている。また特開昭４６−２９３４号公報には、水溶性有機界面活性剤、高級膨潤性脂肪アルコール及び水不溶性の珪酸化合物からなる絨毯等に用いる洗浄用組成物が記載されており、該組成物からなる泡を絨毯上に生成させ、泡が消失し乾燥してから真空掃除機で処理することが記載されている。また、業務用のカーペットクリーナーとして、液体洗剤をスプレーしポリッシャーでポリッシングした後、乾燥後のパウダーを吸引することでクリーニングする製品が市販されている。このように、カーペットの洗浄のために粉末又は液体を塗布し、乾燥後の粉末を掃除機などで吸引する方法は既に知られている。しかしながら、これらのカーペット洗浄は、アレルゲン除去を目的とするものではなく、カーペット汚れの除去を目的とする洗浄剤であるため、界面活性剤や粉末状の吸着体を主基材とするものである。しかしながら、アレルゲンの除去を目的とした場合、このような固体源の濃度は少量で十分な効果を得ることができることが望ましく、従来の洗浄目的のように界面活性剤濃度が高い場合は、処理表面に残りやすいという問題がある。
【０００８】
従って本発明の課題は、固体表面に付着した通常の清掃では除去しにくいダニ類等の生物やその死骸あるいは糞などのアレルゲン物質を簡単な清掃操作で効率よく除去でき、しかも被処理物の感触を変化させないアレルゲン除去剤及びアレルゲン除去方法を提供することにある。
【０００９】
【課題を解決するための手段】
本発明は、従来にない全く新しいシステムによるアレルゲン除去剤とアレルゲン除去方法を提供するものである。
【００１０】
すなわち、本発明は、下記（ａ）成分、（ｂ）成分及び（ｃ）成分を含有するアレルゲン除去剤に関する。
（ａ）成分：水と共沸混合物を形成し、１０１３．２５ｈＰａにおける水との共沸温度が１００℃未満になる有機化合物
（ｂ）成分：該アレルゲン除去剤中の液体成分の蒸発により無機性の固体を生成させる、アルカリ金属イオン及びアルカリ土類金属イオンから選ばれる１種以上である無機性陽イオン（ｂｃ）と、硫酸イオン、炭酸イオン及びリン酸イオンから選ばれる１種以上である無機性陰イオン（ｂａ）の組合せ。但し、カリウムイオンと炭酸イオンのみの組み合わせは排除される。
（ｃ）成分：水
【００１１】
また、本発明は、下記（ａ）成分、（ｂ）成分及び（ｃ）成分を含有し、（ｂ）成分の（ｂｃ）／（ｂａ）＝０．３〜３．０（モル比）であり、且つ（ｂｃ）成分及び水素イオン以外の無機陽イオンの含有量が０．５質量％未満であるアレルゲン除去剤に関する。
（ａ）成分：水と共沸混合物を形成し、１０１３．２５ｈＰａにおける水との共沸温度が１００℃未満になる有機化合物を１〜７０質量％
（ｂ）成分：下記（ｂｃ）成分から選ばれる陽イオンと（ｂａ）成分から選ばれる陰イオンを合計で０．０１〜１０質量％
（ｂｃ）成分：カリウムイオン、ナトリウムイオン及びマグネシウムイオン
（ｂａ）成分：硫酸イオン及び炭酸イオン
（ｃ）成分：水
【００１２】
また、本発明は、下記（ａ）成分、（ｂ’）成分及び（ｃ）成分を含有するアレルゲン除去剤に関する。
（ａ）成分：水と共沸混合物を形成し、１０１３．２５ｈＰａにおける水との共沸温度が１００℃未満になる有機化合物
（ｂ’）成分：硫酸ナトリウム、硫酸マグネシウム、炭酸ナトリウム、炭酸水素ナトリウムから選ばれる１種以上の無機電解質
（ｃ）成分：水
【００１３】
本発明において、アレルゲンとは、通常、広くアレルギーの原因物質を指すが、本発明では、特にダニ、ユスリカ、ゴキブリ及びこれらの死骸もしくはこれらの糞が塵化したもの、ペットの体毛の破断物、ペットの唾液中のタンパク質の乾燥物、花粉、並びに、カビの胞子を指すものとする。本発明のアレルゲン除去剤は、これらのアレルゲン中でも清掃除去が難しい１００μｍ以下のものを除去するのに効果的である。
【００１４】
本発明において、アレルゲン除去剤とは、該剤で処理することにより、アレルゲンの対象表面からの除去を容易にするものを指す。
【００１５】
更に、本発明によれば、アレルゲンが存在する被処理物に適用される、水と共沸混合物を形成し、１０１３．２５ｈＰａにおける水との共沸温度が１００℃未満になる有機化合物である揮発性の液体成分を含有する液状アレルゲン除去剤であって、前記液体成分の蒸発に伴い前記被処理物から分離可能な、アルカリ金属イオン及びアルカリ土類金属イオンから選ばれる１種以上である無機性陽イオンと、硫酸イオン、炭酸イオン及びリン酸イオンから選ばれる１種以上である無機性陰イオンの組合せ（但し、カリウムイオンと炭酸イオンのみの組み合わせは排除される。）を固体源物質とする無機性の固体を生成する液状アレルゲン除去剤が提供される。
【００１６】
また、本発明によれば、水と共沸混合物を形成し、１０１３．２５ｈＰａにおける水との共沸温度が１００℃未満になる有機化合物〔（ａ）成分〕と、該アレルゲン除去剤中の液体成分の蒸発により無機固体を生成させる、アルカリ金属イオン及びアルカリ土類金属イオンから選ばれる１種以上である無機性陽イオン（ｂｃ）と、硫酸イオン、炭酸イオン及びリン酸イオンから選ばれる１種以上である無機性陰イオン（ｂａ）の組合せ（但し、カリウムイオンと炭酸イオンのみの組み合わせは排除される。）〔（ｂ）成分〕と、水〔（ｃ）成分〕とを含有するアレルゲン除去剤を、アレルゲンが存在する被処理物に接触させ、該接触部分の乾燥により析出した固体と共にアレルゲンを前記被処理物から除去するアレルゲンの除去方法が提供される。
【００１７】
また、本発明によれば、上記（ａ）成分と、硫酸ナトリウム、硫酸マグネシウム、炭酸ナトリウム、炭酸水素ナトリウムから選ばれる１種以上の無機電解質〔（ｂ’）成分〕と、水〔（ｃ）成分〕とを含有するアレルゲン除去剤を、アレルゲンが存在する被処理物に接触させ、該接触部分の乾燥により析出した固体と共にアレルゲンを前記被処理物から除去するアレルゲンの除去方法が提供される。
【００１８】
また、本発明によれば、上記（ａ）成分と、アルカリ金属イオン及びアルカリ土類金属イオンから選ばれる１種以上である無機性陽イオン（ｂｃ）と、硫酸イオン、炭酸イオン及びリン酸イオンから選ばれる１種以上である無機性陰イオン（ｂａ）（但し、カリウムイオンと炭酸イオンのみの組み合わせは排除される。）が溶解している液状組成物であって、該液状組成物中の液体成分の除去により（ｂｃ）及び（ｂａ）由来の無機固体が生成する液状組成物をアレルゲンが存在する被処理物に接触させ、該接触部分の乾燥により析出した固体と共にアレルゲンを前記被処理物から除去するアレルゲンの除去方法が提供される。
【００１９】
また、本発明によれば、上記（ａ）成分と、（ｃ）成分からなる液体成分の除去により、アルカリ金属イオン及びアルカリ土類金属イオンから選ばれる１種以上である無機性陽イオンと、硫酸イオン、炭酸イオン及びリン酸イオンから選ばれる１種以上である無機性陰イオンの組合せ（但し、カリウムイオンと炭酸イオンのみの組み合わせは排除される。）を固体源物質とする無機性の固体が生成する液状組成物をアレルゲンが存在する被処理物に接触させ、該接触部分の乾燥により析出した固体と共にアレルゲンを前記被処理物から除去するアレルゲンの除去方法が提供される。
【００２０】
また、本発明によれば、上記（ａ）成分と、ナトリウムイオン及びマグネシウムイオンから選ばれる陽イオンと、硫酸イオン、炭酸イオンから選ばれる陰イオンとを含有する水溶液をアレルゲンが存在する対象表面に塗布又は噴霧し、乾燥後析出したアレルゲンを包含する固体を除去するアレルゲン除去方法が提供される。
【００２１】
また、本発明によれば、前記（ａ）成分、（ｂ）成分及び（ｃ）成分を含有する、ダニ、ユスリカ、ゴキブリ及びこれらの死骸もしくはこれらの糞が塵化したもの、ペットの体毛の破断物、花粉、並びに、カビの胞子から選ばれる少なくとも一種を除去するための剤が提供される。
【００２２】
【発明の実施の形態】
＜（ａ）成分＞
本発明の（ａ）成分は水と共沸混合物を形成し、１０１３．２５ｈＰａ（７６０ｍｍＨｇ）における水との共沸温度が１００℃未満になる有機化合物であり、化学便覧基礎編  改訂４版  日本化学会編  丸善（株）  ＩＩ−１４７頁  表８・４３に記載の水と共沸混合物を形成する化合物から共沸温度が１００℃未満、好ましくは６０〜９０℃の化合物を用いることができる。（ａ）成分を併用することにより、本発明のアレルゲン除去剤で処理された被処理物の乾燥が促進され、（ｂ）成分に由来する固体の生成が促される。（ａ）成分の好ましい具体例としてはエタノール、シクロヘキサン、２−ブタノール、シクロヘキサノール、シクロヘキサノン、シクロヘキサン、トルエン、１−ブタノール、２−ブタノール、１−プロパノール、２−プロパノール、１−ヘキサノール、ヘキサン、１−ヘプタノール、１−ペンタノール、２−ペンタノールを挙げることができ、炭素数２〜７のアルコール化合物が好ましい。特にエタノール、１−プロパノール、２−プロパノールがアレルゲン除去効果の点から最も好ましい。
【００２３】
＜（ｂ）成分、（ｂ’）成分＞
（ｂ）成分は本発明において最も重要な成分である。本発明において（ｂ）成分は、アルカリ金属イオン及びアルカリ土類金属イオンから選ばれる１種以上である無機性陽イオン（ｂｃ）と、硫酸イオン、炭酸イオン及びリン酸イオンから選ばれる１種以上である無機性陰イオン（ｂａ）との組合せを指し、アレルゲン除去剤中で（ａ）成分及び（ｃ）成分の少なくとも一方に溶解した状態で存在する。（ｂ）成分は、溶液の乾燥後に（ｂ）成分に由来する固体を生成する性質を示す組合せである。つまり（ｂ）成分は、アレルゲン除去剤中の少なくとも（ａ）成分又は（ｃ）成分に溶解して存在し、該除去剤中の液体成分の蒸発により無機固体を生成させる固体源物質である。すなわち、本発明のアレルゲン除去剤は、該アレルゲン除去剤中の液体成分の蒸発により固体を生成するものである。
【００２４】
（ｂ）成分をこのように規定をする理由は、本発明の特徴が、乾燥後に固体を生成するという点にあるためであり、例えば、配合した化合物が複数の場合、更にはｐＨ調整としてのアルカリ剤・酸剤の添加や、イオン解離性の界面活性剤や有機酸塩を併用するような場合、固体として析出してくる物質が、当初配合した物質と異なってくる可能性があるからである。しかしながら、本発明は、潮解性のない無機電解質〔（ｂ’）成分〕を直接配合することを否定するものではない。もちろん析出した無機固体が無機電解質と同じであってもかまわない。本発明において“潮解性のない”とは後述する低い吸湿性の化合物を指すものとする。
【００２５】
また、ここで、液体成分の蒸発とは、液状成分の全てが蒸発することではなく、固体の生成に十分な液状成分の蒸発量を意味する。すなわち、本発明のアレルゲン除去剤中の液状成分は主に（ａ）成分と（ｃ）成分であるが、後述の香料等、揮発性の低い液状成分を少量含む場合、それらは必ずしも蒸発する必要はない。このような性質を示す（ｂ）成分を含有することで、本発明のアレルゲン除去剤は、アレルゲンが存在する被処理物に噴霧ないし塗布等された後、当該処理部分の乾燥により固体を生成する。その際、該固体が、アレルゲンを担持して生成する、あるいはアレルゲンの被処理物の表面からの剥離を容易にする、などの理由により、清掃によるアレルゲンの除去効率を向上させるものと考えられる。
【００２６】
（ｂ）成分は、無機性陽イオンと無機性陰イオンの組合せであって、これらイオンを含有する水溶液を乾燥してできる無機化合物が潮解性を示さない固体である無機性陽イオンと無機性陰イオンの組合せである。（ｂ）成分において、本発明のアレルゲン除去剤を乾燥して析出する固体は、これら無機性陽イオンと無機性陰イオンを物質源（又は由来）として生成するものであり、水和物として析出する場合も考えられる。また多様な種類の無機イオンを混合する場合、その生成される固体は定かではないが、本発明では固体が析出するための無機イオン組合せであればよい。（ｂ）成分は、無機性陽イオンがアルカリ金属又はアルカリ土類金属であり、無機性陰イオンが、硫酸イオン、炭酸イオン、リン酸イオンから選ばれる１種以上であることが好ましく、特には（ｂ）成分は、カリウムイオン、ナトリウムイオン及びマグネシウムイオンから選ばれる陽イオンと、硫酸イオン、炭酸イオンから選ばれる陰イオンの組合せが好ましい。ただし、カリウムイオンと炭酸イオンのみの組み合わせは固体化が困難であり、これら以外のイオンを適宜併用する必要がある。すなわち、本発明では、カリウムイオンと炭酸イオンのみの組み合わせは、排除される。
【００２７】
このため、本発明では、潮解性のない無機電解質［（ｂ’）成分、本発明では水に溶解し、無機性陽イオンと無機性陰イオンを生成するものとする。］を含有するものであってもよく、カリウムイオン、ナトリウムイオン及びマグネシウムイオンから選ばれる陽イオンと、硫酸イオン及び炭酸イオンから選ばれる陰イオンとから構成され、１質量％水溶液の２５℃におけるｐＨが３〜９であるものを配合することが好ましい。また、これら無機電解質の中でも２５℃における水への溶解度が１０〜５０質量％、好ましくは１５〜４０質量％の化合物が特に好ましい。この無機電解質の溶解度は、飽和水溶液１００ｇ中に含まれる無機電解質の質量を質量％で表した値であり、化学便覧基礎編ＩＩ  改定３版  日本化学会編丸善（株）  ＩＩ−１６６〜ＩＩ−１７６に記載されているものである。さらに、本発明で好ましい無機電解質は、下記の吸湿性試験により測定される吸湿度が０〜２、更に０〜１、特に０〜０．５の化合物である。このような化合物は潮解性を示さない。
【００２８】
（吸湿性試験）
（ｂ）成分の供給源となる無機電解質１０ｇを１００ｍｌの水に溶解させ、縦２０ｃｍ、横１６ｃｍ、深さ３ｃｍのステンレス製バットに入れ、減圧乾燥機で水を除去する（乾燥時の温度は３０℃、減圧度は２００ｍｍＨｇ、乾燥時間は１週間である）。析出した結晶を粉砕し、篩により５００〜１０００μｍに分級する。この分級したもの１ｇ（Ｗ１）を直径７ｃｍ、深さ１．５ｃｍの円柱状のガラス製シャーレに入れ、全体の質量を測定する（Ｗ２）。次に湿度８０％、温度２０℃の恒温室に２４時間放置した後の全体の質量を測定し（Ｗ３）、次式により吸湿度を求める。
吸湿度＝（Ｗ３−Ｗ２）／Ｗ１
【００２９】
（ｂ’）成分の無機電解質は、硫酸ナトリウム、硫酸マグネシウム、炭酸ナトリウム、炭酸水素ナトリウムであり、特に硫酸ナトリウム、硫酸マグネシウム、炭酸ナトリウムから選ばれる１種以上が好適である。
【００３０】
＜（ｃ）成分＞
本発明の（ｃ）成分は水であり、（ａ）成分、（ｂ）成分及びその他成分を含有する剤の残部であるが、一部の（ｂ）成分の溶媒でもある。水は多少の金属イオンを含んだもの（そのイオンは（ｂ）成分であってもよい）を使用してもよいが、保存安定性の上でイオン交換水を用いることが好ましい。
【００３１】
＜（ｄ）成分＞
本発明では任意ではあるが、アレルゲン除去効果を向上させる目的から香料を含有することが好ましい。香料としては、「香料の化学」（赤星亮一著、日本化学会編  産業化学シリーズ  昭和５８年９月１６日発行）や「合成香料  化学と商品知識」（印藤  元一著、化学工業日報社、１９９６年３月６日発行）や「香料と調香の実際知識」（中島  基貴著、産業図書（株）、１９９５年６月２１日発行）に記載のものを用いることができる。また、本発明ではアレルゲン低減効果を向上させる目的から、「周知・慣用技術集（香料）  第一部  香料一般」２．６．４節記載の『誘引剤・忌避剤・フェロモン』および２．６．５節記載の『殺虫剤』などから選ばれる１種以上を用いることが好適である。
【００３２】
具体的に好ましい香料としては、カンフェン、ｌ−メントール、ボルネオール、セドロール、ｔ−ブチルシクロヘキサノール、ショウノウ、ｐ−ｔ−ブチルシクロヘキサノン、マルトール、シクロペンタデカノン、ヒノキチオール、カリオフィレンオキサイド、ブッコキシム（Ｄｒａｇｏｃａ社製）、ジメチルフェニルカルビノール、フェニルグリコール、バニリン、エチルバニリン、ベンゾフェノン、メチルナフチルケトン、クマリン、ムスクキシレン、ムスクケトン、ムスクアンブレット、ムスクチベテン、ムスクモスケン（ジボダン社製）、セレストリド（ＩＦＦ社製）、ベルサリド、トナリド、ジメチルハイドロキノン、チモール、トランス−ベンジルイソオイゲノール、β−ナフトールメチルエーテル、バニトロープ、安息香酸、桂皮酸、フェニル酢酸、ヒドロ桂皮酸、酢酸イソオイゲノール、桂皮酸シンナミル、サリチル酸フェニルエチル、アニス酸メチル、インドール、スカトール、ローズフェノン、メチルアトラレート、ラズベリーケトン、ヘリオトロピルアセトン、３−メチル−４−イソプロピルフェノール、ｐ−クロロ−ｍ−キシレノール、α−ピネン、β−ピネン、安息香酸シス−３−ヘキセニル、安息香酸ヘキシル、安息香酸ベンジル、オイゲノール、カリオフィレン、カルボン、ゲラニオール、サリチル酸シス−３−ヘキセニル、サリチル酸ヘキシル、サンタロール、シトラール、シトロネラール、シトロネロール、フェニルエチルアルコール、ヘキシルシンナミックアルデヒド、ベンジルアルコール、メントン、リナロール、ジャスモン、ジヒドロジャスモン、ジャスモン酸メチル、ジヒドロジャスモン酸メチル、ファルネソール、ネロリドール、フェノキシエタノール、シネオール、ギ酸リナリル、シンナミックアルデヒト、イソフィトール、フィトール、セドリルメチルエーテル、β−ダマスコン、α−ダマスコン、β−ヨノン、α−ヨノン、テトラヒドロリナロール、リラール（ＩＦＦ社製）、ベンズアルデヒト、安息香酸ｎ−アミル、安息香酸イソアミル，安息香酸へプチル、安息香酸フェニルエチル、サリチル酸ｎ−ブチル、サリチル酸イソブチル、サリチル酸ｎ−アミル、サリチル酸イソアミル、サリチル酸メチル、サリチル酸ベンジル、ｎ−酪酸ベンジル、イソ酪酸ベンジル、ｎ−吉草酸ベンジル、イソ吉草酸ベンジル、プロピオン酸ベンジル、ヘキサン酸ベンジル、オクタン酸ベンジル、フェニルプロピルアルコールから選ばれる１種以上が特に好ましく、最も好ましくはジャスモン、ジヒドロジャスモン、ジャスモン酸メチル、ジヒドロジャスモン酸メチル、ファルネソール、ネロリドール、カンフェン、セドロール、ヒノキチオール、カリオフィレンオキサイド、ブッコキシム（Ｄｒａｇｏｃａ社製）、ジメチルフェニルカルビノール、フェニルグリコール、クマリン、ムスクキシレン、ムスクケトン、ムスクアンブレット、ムスクチベテン、ムスクモスケン（ジボダン社製）、セレストリド（ＩＦＦ社製）、ベルサリド、トナリド、ジメチルハイドロキノン、チモール、トランス−ベンジルイソオイゲノール、β−ナフトールメチルエーテル、バニトロープ、安息香酸、桂皮酸、フェニル酢酸、ヒドロ桂皮酸、酢酸イソオイゲノール、桂皮酸シンナミル、サリチル酸フェニルエチル、��ニス酸メチル、インドール、スカトール、ローズフェノン、メチルアトラレート、ラズベリーケトン、ヘリオトロピルアセトン、３−メチル−４−イソプロピルフェノール、から選ばれる１種以上である。また、本発明ではこのような香料成分を単独で用いることができるが、２種以上の香料組成物として用いることもできる。
【００３３】
本発明ではアレルゲン除去効果向上の点から（ｄ）成分として植物から抽出した天然精油を用いることも好適である。天然精油としては、ハッカ油、アーモンド油、カラムス油、ペパーミント油、スペアミント油、シンナモン油、オールスパイス油、クローブ油、タイム油、ローズマリー油、レモングラス油、レモン油、ユズ油、ライム油、グレープフルーツ油、マンダリン油、アジョワン油、ベルガモット油、ローレル油、スターアニス油、マジョラム油、メース油、ボアドローズ油、パルマローサ油、レモンベルベナ油、レモンバーム油、ラベンダー油、ローズ油、オレンジ油、カシア油、カッシー油、ガーリック油、カヤブテ油、シソ油、シナモン油、樟脳油、セダーウッド油、バチュリ油、ヒノキ油、ヒバ油、米油、ベニーロイヤル油、リセアキュベバ油、ユーカリ油、ティーツリー油、イランイラン油、ベチバー油、カナンガ油、シトロネラ油、ナツメグ油、ペッパー油、サンダルウッド油、ジンジャー油、アニス油、メース油、フェンネル油等を挙げることができる。
【００３４】
これらの中でも特にイランイラン油、オレンジ油、クローブ油、サンダルウッド油、スペアミント油、セダーウッド油、タイム油、ティーツリー油、ハッカ油、パルマローザ油、ヒノキ油、ヒバ油、ペパーミント油、ペニーロイヤル油、ユーカリ油、ラベンダー油、レモングラス油、レモン油、ローズマリー油、樟脳油、アジョワン油から選ばれる１種以上が好ましい。
【００３５】
＜（ｅ）成分＞
本発明には任意ではあるが（ｅ）成分として、本発明の効果を妨げない程度に界面活性剤を用いることができ、特に組成物に透明な外観を付与する目的、及び／又は貯蔵安定性の点から非イオン界面活性剤、陰イオン界面活性剤、及び陽イオン界面活性剤を配合することができる。しかしながら、界面活性剤の配合は、処理表面に対する残留の原因となるため、その界面活性剤の種類には注意が必要であり、また配合量も制限される。
【００３６】
非イオン界面活性剤としては下記一般式（１）及び／又は一般式（２）の化合物を挙げることができる。
【００３７】
Ｒ１−Ｏ−（Ｏ）ａ−Ｈ                  （１）
〔式中、Ｒ１は、炭素数８〜１８、好ましくは１０〜１６のアルキル基又はアルケニル基であり、Ｒ２は炭素数２又は３のアルキレン基であり、好ましくはエチレン基である。ａは平均付加モル数として３〜２０、好ましくは４〜１５、特に好ましくは５〜１０の数を示す。〕
Ｒ３−（ＯＲ４）ｂＧｃ                    （２）
〔式中、Ｒ３は直鎖の炭素数８〜１６、好ましくは１０〜１６、特に好ましくは１０〜１４のアルキル基、Ｒ４は炭素数２〜４のアルキレン基、好ましくはエチレン基又はプロピレン基、特にエチレン基であり、Ｇは還元糖に由来する残基、ｂは平均値０〜６の数、ｃは平均値１〜１０、好ましくは１〜５、特に好ましくは１〜２の数を示す。〕。
【００３８】
一般式（１）の化合物において特に好ましい化合物は下記一般式（１−１）の化合物及び／又は一般式（１−２）の化合物を挙げることができる。
【００３９】
Ｒ５−Ｏ（ＥＯ）ｄ−Ｈ                      （１−１）
〔式中、Ｒ５は炭素数１０〜１８、好ましくは１０〜１６の一級の直鎖アルキル基、分岐鎖アルキル基又は二級のアルキル基である。ＥＯはエチレンオキサイドであり、ｄは平均付加モル数として３〜２０である。〕
Ｒ６−Ｏ［（ＥＯ）ｅ／（ＰＯ）ｆ］−Ｈ          （１−２）
〔式中、Ｒ６は炭素数１０〜１８、好ましくは１０〜１６の一級のアルキル基である。ＥＯはエチレンオキサイド、ＰＯはプロピレンオキサイドを示す。ｅは平均付加モル数３〜１５、ｆは平均付加モル数１〜５である。ＥＯとＰＯはランダム付加又はＥＯを付加した後、ＰＯを付加してもよく、またその逆のようなブロック付加体でもよい。〕。
【００４０】
一般式（２）の化合物において、Ｇは還元糖に由来する残基であり、原料の還元糖としては、アルドースとケトースの何れであっても良く、また、炭素数が３〜６個のトリオース、テトロース、ペントース、ヘキソースを挙げることができる。アルドースとして具体的にはアピオース、アラビノース、ガラクトース、グルコース、リキソース、マンノース、ガロース、アルドース、イドース、タロース、キシロースを挙げることができ、ケトースとしてはフラクトースを挙げることができる。本発明ではこれらの中でも特に炭素数５又は６のアルドペントースあるいはアルドヘキソースが好ましく中でもグルコースが最も好ましい。
【００４１】
陰イオン界面活性剤としては炭素数１０〜１８のアルキル基又はアルケニル基を有する、アルキル又はアルケニルベンゼンスルホン酸塩、アルキル又はアルケニル硫酸エステル塩、α−オレフィンスルホン酸塩、α−スルホ脂肪酸塩、α−スルホ脂肪酸低級アルキルエステル塩又は脂肪酸塩、アルケニルコハク酸又はその塩から選ばれる界面活性剤をあげることができる。
【００４２】
塩としてはナトリウム塩、カリウム塩、マグネシウム塩、カルシウム塩、アルカノールアミン塩、アンモニウム塩が好適であり、洗浄効果の点からナトリウム塩、カリウム塩、マグネシウム塩が好ましい。
【００４３】
陽イオン界面活性剤としては、下記一般式（３）〜（５）の化合物を用いることもアレルゲンの除去効果の点から好適である。
【００４４】
【化１】
0003550139.tif 000002
【００４５】
〔式中、Ｒ７及びＲ１２は、それぞれ炭素数５〜１６、好ましくは６〜１４のアルキル基又はアルケニル基、好ましくはアルキル基であり、Ｒ９、Ｒ１０は、それぞれ炭素数１〜３のアルキル基又はヒドロキシアルキル基である。Ｔは−ＣＯＯ−、ＯＣＯ−、−ＣＯＮＨ−、−ＮＨＣＯ−、
【００４６】
【化２】
0003550139.tif 000003
【００４７】
である。ｇは０又は１の数である。Ｒ８は、炭素数１〜６のアルキレン基、又は−（Ｏ−Ｒ１７）ｎ−である。ここでＲ１７はエチレン基もしくはプロピレン基、好ましくはエチレン基であり、ｎは１〜１０、好ましくは１〜５の数である。Ｒ１１は炭素数１〜５、好ましくは２又は３のアルキレン基である。また、Ｒ１３、Ｒ１４、Ｒ１５、Ｒ１６はこれらの内２つ以上（好ましくは２つ）は炭素数８〜１２のアルキル基であり、残りが炭素数１〜３のアルキル基又はヒドロキシアルキル基である。さらにＺ−は陰イオン基、好ましくはハロゲンイオン、炭素数１〜３のアルキル硫酸イオンである。〕
本発明の最も好ましい陽イオン界面活性剤として下記のものを挙げることができる。
【００４８】
【化３】
0003550139.tif 000004
【００４９】
本発明では界面活性剤として、非イオン界面活性剤が好ましく、特に一般式（２）の化合物が組成物の外観及び貯蔵安定性の点から最も好ましい。
【００５０】
＜（ｆ）成分＞
本発明では通常液体組成物の貯蔵安定性の改善や粘度調整を目的に、本発明の効果を妨げない程度に（ｆ）成分としてハイドロトロープ剤や粘度調整剤を含有しても差し支えない。ハイドロトロープ剤としては炭素数１〜３のアルキル基が１〜３個置換したベンゼンスルホン酸又はその塩を用いることが可能である。また、粘度調整剤としては増粘剤として部分架橋ポリアクリル酸、ヒドロキシエチルセルロース、カルボキシメチルセルロース、キサンタンガム等の配合を検討するとができる。また減粘剤としてポリエチレングリコール（分子量＝３００〜４０００）、ポリプロピレングリコール（分子量＝３００〜２０００）、グリセリン、ポリグリセリン（縮合度２〜１０）、ソルビトール、ペンタエリスリトール等の配合を検討してもよい。
【００５１】
＜その他の成分＞
その他任意成分としては、後述するｐＨ調整剤としての酸やアルカリ剤、メタノールの他、特開平４−９１１９７号公報記載のグリコール系溶剤、特開平７−２２４２９９号公報記載のフェニルエーテル系溶剤、及び特開平７−３２８９号公報記載のグリセリルエーテル系溶剤記載等の（ａ）成分以外の水溶性有機溶剤、アレルゲン除去剤自体を着色するための色素、アレルゲンを被覆することでその発現を抑制するポリマー、アレルゲンを変質されるアレルゲン変性剤、殺菌・殺ダニ剤、並びにアレルゲン除去剤自体に菌やカビの発生を抑制するための防菌・防カビ剤、エアゾールとして配合する場合はプロペラント等を挙げることができるが、（ｂ）成分からの固体生成を抑制する物質の配合量は十分検討されるべきであり、また剤自体がアレルゲン症状を示すことが懸念される物質の配合は控えるべきである。なお、ｐＨを調整する上で、アルカリ金属水酸化物や、硫酸などを含有してもよいが、そのイオンは（ｂ）成分として算入される。また、本発明において（ａ）成分、（ｄ）成分、（ｅ）成分、メタノール、及びエアゾールの有機性のプロペラント以外の有機化合物は（ｇ）成分と称するものとする。
【００５２】
なお、本発明において、乾燥により析出する固体は、（ｂ）成分由来の無機固体以外であってもかまわないが、対象表面からの剥離性を考慮すると、（ｂ）成分を主とするものが好ましい。
【００５３】
＜アレルゲン除去剤＞
本発明のアレルゲン除去剤は、（ｂ）成分及び必要ならば（ｄ）成分や任意成分を（ａ）成分及び（ｃ）成分である水、更に必要に応じて溶剤に溶解させた溶液、好ましくは水溶液の形態である。特に本発明は（ｂ）成分が重要であり、（ｂ）成分は、乾燥に伴い無機塩等の固体を析出させ、対象物表面からアレルゲン物質を収集して剥離させる機能を有する。具体的には、本発明のアレルゲン除去剤を対象物に噴霧処理又は浸漬処理し乾燥させると、対象物表面に（ｂ）成分の陽イオン及び陰イオンを対イオンとする無機固体が析出する。このとき、ダニ類などの生物及びそれらの死骸や糞等のアレルゲン物質を抱き込みながら無機固体が析出する。これをタオルなどの布帛で拭き取ったり、掃除機などの清掃道具を用いて除去することにより、アレルゲンを容易に除去することが可能になる。（ｂ）成分の含有量は、（ｂｃ）成分及び（ｂａ）成分の合計がアレルゲン除去効果を発揮するため、０．００５質量％以上、好ましくは０．０１質量％以上、より好ましくは０．１質量％以上であり、処理表面の感触への影響を考慮して、１０質量％まで配合することができる。しかしながら（ｂ）成分由来の固体物質の対象表面の残留を抑制するためには、好ましくは５質量％以下、より好ましくは３質量％以下である。なお、（ｂｃ）成分のアレルゲン除去剤中の濃度は、原子吸光法で直接定量することができ、また、（ｂａ）成分のアレルゲン除去剤中の濃度は、イオンクロマトグラフィーで測定することが可能である。また、（ｂ’）成分のアレルゲン除去剤中の濃度も同様である。
【００５４】
また、本発明では、固体生成の上で、（ｂｃ）／（ｂａ）＝０．３〜３．０（モル比）が好ましく、より好ましくは０．８〜２．５、特に好ましくは１．０〜２．０である。さらに（ｂｃ）成分及び水素イオン以外の陽イオンが本発明のアレルゲン除去剤中に存在すると対象物表面への無機固体の析出に大きく影響し、著しく効果を減ずるため、このような陽イオンはアレルゲン除去在中に好ましくは０．５質量％未満、より好ましくは０．１質量％未満である。
【００５５】
本発明では、製品の形態としてエアゾール噴霧器を用いる事が出来るが、二酸化炭素をプロペラントとした場合に、多量の二酸化炭素が液中に溶解して液中の（ｂｃ）／（ｂａ）モル比に影響を及ぼす場合がある。この場合は製品が用いられる現実の環境である空気による大気圧下・常温にて（ｂｃ）／（ｂａ）モル比が本発明の範囲内にあることが重要である。（ｂｃ）成分および（ｂａ）成分の定量にあたっても同様の注意が必要である。なお、エアゾール噴霧器を用いる場合において、プロペラントとして液体プロパンガス、液化ブタンガス、ジメチルエーテル等の有機性の化合物を用いる場合は、アレルゲン除去剤の組成物の構成成分として算入しないものとする。
【００５６】
本発明の（ａ）成分は（ｂ）成分の機能を促進させるために用いられる。すなわち（ａ）成分は、噴霧や塗布後の乾燥を促進し、（ｂ）成分に由来する無機固体の対象物表面への析出を促進させる目的で用いられる。このような効果を得るために本発明では（ａ）成分の含有量はアレルゲン除去剤中１〜７０質量％、好ましくは５〜６０質量％、特に好ましくは５〜４０質量％であるが、任意成分として疎水性の有機固体を含有する場合、６０質量％まで考慮してもよい。
【００５７】
また、本発明の（ｄ）成分は、組成物を賦香する目的だけではなく、本発明のアレルゲン除去効果を向上させることができるために、本発明のアレルゲン除去剤に含有させることが好ましい。（ｄ）成分の好ましい含有量は０．００１〜１質量％、より好ましくは０．００１〜０．５質量％、さらに好ましくは０．００１〜０．３質量％である。
【００５８】
本発明では液の外観及び貯蔵安定性の点から（ｅ）成分を含有することができるが、本発明の効果を妨げないことが重要である。また（ｅ）成分は、表面に付着して残留し、効果的な除去が阻害することが懸念される。従って、本発明のアレルゲン除去剤中の（ｅ）成分は、好ましくは１質量％未満、特に好ましくは０．５質量％未満、最も好ましくは０．２質量％以下である。
【００５９】
また、本発明では貯蔵安定性の改善や粘度調整のために（ｆ）成分を含有することが可能であるが、本発明の効果を妨げないことが重要であり、アレルゲン除去剤中に１質量％未満、好ましくは０．５質量％未満、より好ましくは０．２質量％以下である。
【００６０】
さらに、本発明では上記成分以外すなわち、（ａ）成分、（ｄ）成分、（ｅ）成分及び（ｆ）成分に加えて、例外的にメタノールやプロペラント以外の有機化合物〔（ｇ）成分〕、例えば防菌・防かび剤や後述のｐＨ調整剤を含有することができるが、本発明の効果を妨げる恐れがあるため（ｅ）成分、（ｆ）成分、及び（ｇ）成分の合計量が好ましくは５質量％未満、より好ましくは３質量％未満、さらに好ましくは１質量％未満、特に好ましくは０．５質量％未満になるようにすることが好ましい。
【００６１】
（ｃ）成分の水は残部であり、アレルゲン除去剤中に好ましくは３０質量％以上含有する。アレルゲン除去剤は、２０℃におけるｐＨを３〜９、好ましくは４〜８に調整することが好適である。ｐＨ調整剤としては塩酸や硫酸などの無機酸や、クエン酸、コハク酸、リンゴ酸、フマル酸、酒石酸、マロン酸、マレイン酸などの有機酸などの酸剤や、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独もしくは複合して用いることが好ましいが、本発明の効果を妨げない程度に種類や量を調整することが重要である。ｐＨ調整剤としては、特に塩酸、硫酸、クエン酸から選ばれる酸と水酸化ナトリウム、水酸化カリウムから選ばれるアルカリ剤を用いることが好ましい。
【００６２】
本発明のアレルゲン除去剤は、好ましくは（ａ）成分、（ｂ）成分、（ｃ）成分と所望により（ｄ）成分の合計が９５〜１００質量％、より好ましくは９８〜１００質量％、最も好ましくは実質的に（ａ）〜（ｄ）成分のみから構成されることが望ましい。
【００６３】
あるいは本発明のアレルゲン除去剤は、好ましくは（ａ）成分を１〜７０質量％、（ｂ’）成分を０．０１〜１０質量％、及び（ｃ）成分を含有し、（ａ）成分、（ｂ’）成分及び（ｃ）成分の合計が９５〜１００質量％である。
【００６４】
本発明のアレルゲン除去剤は対象物への処理のし易さ、及びアレルゲン除去効果を向上させる目的から、アレルゲン除去剤の２０℃における粘度を１５ｍＰａ・ｓ以下、好ましくは１〜１０ｍＰａ・ｓに調整することが好適である。このような粘度に調整することで対象物を均一に処理することができ、さらに乾燥や（ｂ）成分の析出を促進させることができる。本発明でいう粘度は以下のようにして測定する。まずＴＯＫＩＭＥＣ．ＩＮＣ製Ｂ型粘度計モデルＢＭに、ローター番号Ｎｏ．１のローターを備え付けたものを準備する。試料をトールビーカーに充填し２０℃の恒温槽内にて２０℃に調製する。恒温に調製された試料を粘度計にセットする。ローターの回転数を６０ｒ／ｍに設定し、回転を始めてから６０秒後の粘度を本発明の粘度とする。
【００６５】
＜アレルゲン除去方法＞
本発明では、上記アレルゲン除去剤を被対象物に噴霧した後に清掃道具等により前記（ｂ）成分から構成される乾燥時に析出する無機固体等の固体にとり込まれたアレルゲン物質を除去することでアレルゲンを除去する全く新しい方法を提供するものである。すなわち、（ｂ）成分を含有する水溶液をアレルゲンが存在する対象表面に塗布又は噴霧し、乾燥後析出したアレルゲンを包含する前記無機固体等の固体を除去するアレルゲン除去方法を提供する。
【００６６】
噴霧器としては、トリガー式噴霧器、或いはエアゾール式噴霧器を用いることが好ましく、特にはトリガー式噴霧器がより好ましい。
【００６７】
トリガー式噴霧器を用いる場合、該噴霧器は１回のストロークで０．１ｇ〜２．０ｇ、好ましくは０．２〜１．５ｇ、さらに好ましくは０．３ｇ〜１．０ｇ噴出するものが良好である。本発明で使用するトリガー式スプレー容器として特に好ましいものは、実開平４−３７５５４号公報に開示されているような蓄圧式トリガーが、噴霧の均一性の点で特に良好である。
【００６８】
エアゾール式噴霧器を用いる場合、該噴霧器は１秒あたり０．５〜５．０ｇ、好ましくは１秒あたり１．０〜３．０ｇを噴霧するものが良好である。エアゾールの噴射剤としては、液化プロパンガス、液化ブタンガス、ジメチルエーテル、窒素、二酸化炭素、空気などを用いることが出来るが、噴射特性の点からは、液化プロパンガス、液化ブタンガスが好ましく、安全性の点からは窒素、二酸化炭素、空気が好ましい。
【００６９】
噴霧特性としては、特に地面に垂直に置いた対象物に１５ｃｍ離れた場所からスプレーしたときの液のかかる面積が１００〜８００ｃｍ２、好ましくは１５０〜６００ｃｍ２になるトリガー式噴霧器が好ましい。また、本発明では（ｂ）成分を対象物１０００ｃｍ２当たり１〜１０ｍｇ、好ましくは１〜５ｍｇになるように均一に対象物にスプレーし、乾燥させることで高いアレルゲン除去効果を得ることができる。
【００７０】
スプレー後は自然乾燥させた後、タオル等の布帛や掃除機などの清掃道具により対象物を除去することで、アレルゲンを効率的に除去することが可能となる。なお本方法に適した組成は前記した通りである。
【００７１】
なお、本発明のアレルゲン除去剤の対象表面は、カーペット、畳、布製ソファー、ラグ、フローリング床、その他アレルゲンの除去が望まれる住居内の硬質表面、及びふとん、枕、ベッドパッド等の寝具、ぬいぐるみ、布製クッション等を挙げることができる。
【００７２】
本発明のアレルゲン除去剤の最も好ましい処方例とその使用方法を以下に示す。
（Ａ）エタノール、１−プロパノール及び２−プロパノールから選ばれる１種以上  ３〜６０質量％
（Ｂ）カリウムイオン、ナトリウムイオン及びマグネシウムイオンから選ばれる陽イオンと、硫酸イオン及び炭酸イオンから選ばれる陰イオンの組み合わせ（但し、カリウムイオンと炭酸イオンのみの組み合わせは除く）  ０．１〜３質量％
（Ｃ）水  残部
（Ｄ）香料  ０〜０．５質量％
（Ｅ）その他の成分  ０〜１．０質量％（但し、界面活性剤濃度は０．２質量％以下）
からなるｐＨ４〜８（２０℃）の水性組成物、更には、該組成物を非エアゾールタイプの噴霧装置を備えた容器に充填したものであって、対象表面から３０ｃｍ離れた位置から、噴霧動作を１回行ったときに、気温２３〜３２℃、湿度６０％ＲＨ以下の環境下において、３０分以内に固体が析出するものである。使い方としては、該水性組成物からなるアレルゲン除去剤を対象表面に噴霧した後、掃除機などで吸引除去することが好ましい。
【００７３】
【実施例】
実施例１
表１に示すアレルゲン除去剤を調製した。下記方法により調製した対象物に下記方法で処理した時のアレルゲン除去効果及び感触を測定した。結果を表１に示す。
【００７４】
（１）アレルゲン除去率の測定
３年間家庭で使用された中古カーペット（（株）サンゲツ製カーペット「サンセシール  ＣＬ−１」）を１０ｃｍ四方に裁断した。
【００７５】
裁断したカーペットにサンプルを均一に０．３ｇスプレー（花王（株）製スムーサートリガー容器を用いた。１回のストロークの噴霧量は０．３ｇであり、垂直に置かれた対象面に１５ｃｍ離れた場所からスプレーしたときの液のかかる面積が４２０ｃｍ２であった）し、室温で３０分間乾燥させた後、新品の紙パックを装着した吸引仕事率２５０Ｗの掃除機で１秒間吸引した。この操作を２０回繰り返した。
【００７６】
その後、ｐＨ７．４±０．１りん酸バッファー液（ＫＨ２ＰＯ４、ＮａＣｌ、Ｎａ２ＨＰＯ４・７Ｈ２Ｏをそれぞれ０．１４４ｇ／Ｌ、９．００ｇ／Ｌ、０．７９５ｇ／Ｌとなるように蒸留水に溶解したもの、以下ＰＢＳとする）５０ｍＬを用いて紙パックに捕集されたアレルゲンを抽出した（この抽出液を除去アレルゲン抽出液と呼ぶ）。また、カーペットに残留したアレルゲンを、ＰＢＳ  ５０ｍＬを用いて抽出した（この抽出液を残留アレルゲン抽出液と呼ぶ）。
【００７７】
各々の抽出液について、サンドイッチＥＬＩＳＡ法を用いてＤｅｒ  ｆ  ＩＩ（コナヒョウヒダニ虫体に含まれるアレルゲン）濃度の定量を行った。サンドイッチＥＬＩＳＡ法は以下のように行った。
１．モノクローナル抗体１５Ｅ１１（生化学工業（株））をＰＢＳで２μｇ／ｍｌの濃度に希釈しマイクロプレート（住友ベークライトＥＬＩＳＡ  ＰＬＡＴＥ  Ｈ  ＴＹＰＥ）の各ウェルに５０μｌずつ分注し、室温で２時間静置する。
２．プレートをＰＢＳで３回洗浄する。
３．１％ＢＳＡを含むＰＢＳ（大日本製薬  ブロックエース）を各ウェルに２００μｌずつ分注し室温で１時間静置し、ブロッキングを行う。
４．プレートをＴｗｅｅｎ２０（ＳＩＧＭＡ）を０．０５質量％含有するＰＢＳ（以下、Ｔ−ＰＢＳとする）で３回洗浄する。
５．スタンダードとしてｒＤｅｒ  ｆ  ＩＩ（生化学工業（株））を０．３μｇ／ｍｌから９管Ｔ−ＰＢＳで２ｎ倍希釈し、各々５０μｌを各ウェルに分注し、さらに陰性対照としてｒＤｅｒ  ｆ  ＩＩの替わりにＴ−ＰＢＳを５０μｌ加えたウェルを用意する。測定する試料はＴ−ＰＢＳで適宜希釈してから各ウェルに５０μｌずつ分注する。室温で２時間静置する。
６．プレートをＴ−ＰＢＳで３回洗浄する。
７．至適濃度のＨＲＰ標識１３Ａ４（生化学工業（株））を各ウェルに５０μｌ分注し室温で２時間静置する。
８．プレートをＴ−ＰＢＳで３回洗浄する。
９．ペルオキシダーゼ用発色キットＴ（住友ベークライト）を用いて発色を行う。まず発色剤１０ｍＬに基質液を０．１ｍＬ加えて混和して発色液とする。この発色液を各ウェルに１００μｌずつ分注し室温で発色させる。その後停止液を各ウェルに１００μｌずつ分注して反応を止め、プレートリーダーで４５０ｎｍにおける吸光度を測定する。
１０．スタンダードの吸光度から得られる検量線を用いて測定する試料のＤｅｒ  ｆ  ＩＩ濃度を算出する。
【００７８】
得られたＤｅｒ  ｆ  ＩＩ濃度について、除去アレルゲン抽出液のＤｅｒ  ｆ  ＩＩ濃度をａ、残留アレルゲン抽出液のＤｅｒ  ｆ  ＩＩ濃度をｂとすると、掃除機吸引によるアレルゲン除去率Ｒは以下の式で定義される。
Ｒ＝ａ／（ａ＋ｂ）×１００      （％）
各サンプルについて上記試験を５回行い、得られた５回分のアレルゲン除去率の平均値を該サンプルのアレルゲン除去率とした。
【００７９】
（２）感触評価方法
（株）サンゲツ製カーペット「サンセシール  ＣＬ−１０１」を１０ｃｍ角に切り出した物を試験片として用いた。試験片に対し、０．１ｃｃ／１００ｃｍ２で処方液をスプレーし、充分乾燥させ、このスプレーと乾燥を５０回繰り返したものをサンプルとした。１０名のパネラーにて、何も処理していない試験片を基準とし、下記基準で官能評価を行い、平均値を求めた。
４…基準よりも感触が良好である
３…基準と同等である
２…基準よりもやや感触が劣る
１…基準よりも明らかに感触が劣る
【００８０】
【表１】
0003550139.tif 000005
【００８１】
表１中、ノニオン界面活性剤は、アルキルポリグルコシド（アルキル基：炭素数１０／炭素数１２＝４／６（質量比）、グルコース平均縮合度１．３）、アニオン界面活性剤は、アルケニル基の炭素数が１２のアルケニルコハク酸である。（ｂ）は、（ｂ）成分の供給源となる化合物又は（Ｂ’）成分である。
【００８２】
表１中、比較品９は水溶液に調製せず、粉末をそのまま用いた場合の効果について調べたものである。処理方法は、比較品９に示す組成物（固体状）を篩により５００〜１０００μｍに分級した粉末を、裁断したカーペットに５ｇ均一に振りかけ、３０分後に掃除機で吸引した以外は上記と同様の方法でアレルゲン除去効果及び感触を測定した。また、比較品１０は水のみで処理した例である。
【００８３】
なお、表１の組成物を用いず、掃除機のみで処理したカーペットのアレルゲン除去率は２１％、感触評価は３．５であった。
【００８４】
なお、硫酸ナトリウム、硫酸マグネシウム、炭酸ナトリウムの２５℃における溶解度はそれぞれ、２１．９％、２６．７％、２２．７％であり、本願明細書で定義した吸湿性試験はすべて０〜０．５の範囲内である。
【００８５】
実施例２
表２に示すアレルゲン除去剤を調製し、実施例１と同様の方法でアレルゲン除去効果及び感触を測定した。結果を表２に示す。
【００８６】
【表２】
0003550139.tif 000006